(57)【要約】【課題】  給水管が断水した場合に、ろ過水が不衛生になるのを防止すること。【解決手段】  浄化システム１００は、上水が流通する１次側給水管３に接続され、上水に対し塩素含有量が低減されたろ過水を貯留する循環タンク１と、循環タンク１内部に配置され下端に１次側給水管３が接続され、給水管から給水された上水をろ過材を通過させることで、ろ過水を生成し、生成したろ過水を上端側に形成された流出口８から排水する浄水装置４と、浄水装置４の流出口８を開閉可能な汚染防止弁７と、を備え、汚染防止弁７は流出口８を閉じる方向に付勢されており、１次側給水管３内の所定の水圧により押し上げられ、開いた状態となり、１次側給水管３内が所定の水圧より低下した場合には閉じた状態となる。【選択図】図１
2019171358.tif 000002
【特許請求の範囲】
【請求項１】
上水が流通する１次側給水管に接続される浄水システムであって、上水に対し塩素含有量が低減されたろ過水を貯留する循環タンクと、循環タンク内部に配置され下端に１次側給水管が接続され、給水管から給水された上水をろ過材を通過させることで、ろ過水を生成し、生成したろ過水を上端側に形成された流出口から排水する浄水装置と、浄水装置の流出口を開閉可能な汚染防止弁と、を備え、汚染防止弁は、流出口を閉じる方向に付勢されており、１次側給水管内の所定の水圧により押し上げられ、開いた状態となり、１次側給水管内が所定の水圧より低下した場合には閉じた状態となる浄化システム。
【請求項２】
循環タンクには、蛇口まで延びる２次側給水管が接続され、２次側給水管は、蛇口側から循環タンク側に付勢されており、１次側給水管内の所定の水圧により開放され、１次側給水管内が所定の水圧により低下した場合には閉じた状態となる流出防止弁を備える請求項１に記載の浄化システム。
【発明の詳細な説明】
【技術分野】
【０００１】  上水が流通する給水管に接続される浄水システムに関する。
【背景技術】
【０００２】  従来の浄化システムでは、上水をろ過装置でろ過して、ろ過水を生成し、蛇口から出すことが出来る。【０００３】  ところが、給水管が断水した場合、ろ過装置内で雑菌が増殖し、この雑菌がろ過水に混入することで、蛇口から出るろ過水が不衛生になる場合があった。
本発明は、給水管が断水した場合に、ろ過水が不衛生になるのを防止することを目的とする。
【課題を解決するための手段】
【０００４】  上水が流通する１次側給水管に接続される浄水システムであって、上水に対し塩素含有量が低減されたろ過水を貯留する循環タンクと、循環タンク内部に配置され下端に１次側給水管が接続され給水管から給水された上水をろ過材を通過させることで、ろ過水を生成し、生成したろ過水を上端側に形成された流出口から排水する浄水装置と、浄水装置の流出口を開閉可能な汚染防止弁と、を備え、汚染防止弁は流出口を閉じる方向に付勢されており、１次側給水管内の所定の水圧により押し上げられ、開いた状態となり、１次側給水管内が所定の水圧より低下した場合には閉じた状態となる浄化システム。
【０００５】  循環タンクには、蛇口まで延びる２次側給水管が接続され、２次側給水管は蛇口側から循環タンク側に付勢されており、１次側給水管内の所定の水圧により開放され、１次側給水管内が所定の水圧により低下した場合には閉じた状態となる流出防止弁を備える請求項１に記載の浄化システム。
【図面の簡単な説明】
【０００６】
【図１】  本発明の実施形態に係る浄化システムを説明する図である。
【図２】  汚染防止弁を説明する図である。
【図３】  流出防止弁を説明する図である。
【発明を実施するための形態】
【０００７】  浄化システム１００は、上水が流通する１次側給水管３に接続され、上水に対し塩素含有量が低減されたろ過水を貯留する循環タンク１と、循環タンク１内部に配置され下端に１次側給水管３が接続され、給水管から給水された上水をろ過材を通過させることで、ろ過水を生成し、生成したろ過水を上端側に形成された流出口８から排水する浄水装置４と、浄水装置４の流出口８を開閉可能な汚染防止弁７と、を備え、汚染防止弁７は流出口８を閉じる方向に付勢されており、１次側給水管３内の所定の水圧により押し上げられ、開いた状態となり、１次側給水管３内が所定の水圧より低下した場合には閉じた状態となる。
【０００８】  また、浄化システム１００は、循環タンク１には、蛇口まで延びる２次側給水管１４が接続され、２次側給水管１４は蛇口側から循環タンク１側に付勢されており、１次側給水管３内の所定の水圧により開放され、１次側給水管３内が所定の水圧により低下した場合には閉じた状態となる流出防止弁１３を備える。
【０００９】  本実施形態に係る浄化システム１００は、循環タンク１内に接続された２次側給水管１４に、高水圧で封入されているため地震等で上水の断水又、２次側給水管１４が破損しても流出を防ぎ貯留水を確保する流出防止弁システムであって循環タンク１下端の流出口８に連結した場所には、開閉可能な流出防止弁１３を備え流出防止弁１３は流出口８を閉じる方向に付勢されており、流出防止弁１３は所定の水圧で押され開いた状態となり給水管が破損すると循環タンク１内の所定水圧が低下した場合には、閉じた状態となるため貯留水は満水状態で確保が出来る。
【００１０】  浄化システム１００は、上水道の水圧をそのまま利用し屋外に設置した循環タンク１下端の流入口にバルブ１２と逆流防止弁２を取り付け、流通する１次側給水管３を接続し上水がタンク内部に配置した浄水装置４を通過し、ろ過水に生成されタンク内より下端流出口にメインバルブ１２、流出防止弁１３、災害時用兼ドレンバルブ１５を連結させ流出防止弁１３に流通する２次側給水管１４を接続し給水装置に至る。
また、開栓すると水量・水圧に差違は感じず常時使用出来る。
【００１１】しかし巨大地震の襲来、他で上水道が断水しタンク以降の２次側給水管１４等が破損するとタンク内所定圧力が低下し流出防止弁は流出口８を閉じる方向に付勢されているため流出もなく満水状態で貯留水の確保が出来来るためタンク容量により一定期間の飲料水はしのげる。
（参考  災害時必要水量  大人３Ｌ／Ｄ値）。
【００１２】  本実地形態の浄水装置４は塩素含有量の減少を目的とし水圧、水量維持のため活性炭、麦飯石、他の粗粒材を使用可能である。
タンク資材は耐圧性能１．７５ＭＰＡに耐える資材であれば良い。
（例えばステンレス鋼）。
【００１３】  浄化システム１００は、断水時に貯留水を使用すると水位の低下によりタンク内空洞部の温度上昇が起因で浄水装置４内で雑菌の繁殖によりタンク内汚染を防ぐため浄水装置流出口８に開閉可能な汚染防止弁７を取り付け通水時は開き、給水管内の水圧が低下すると流出口８の方向に付勢された汚染防止弁７が閉まるため衛生的である。また、災害による上水施設の復旧完了で上水が通水されると流出防止弁１３・汚染防止弁７は共に、開状態になり平時と同じ使い方が出来る。また、タンク上部に自動吸排気弁１７を取り付けタンク内の吸排気を行う事で断水時に貯留水の使用で連結した災害時用兼ドレンバルブ１５の開栓でスムーズな自然流下が得られる。
【００１４】  本実施形態は、平時上水の水圧をそのまま利用し屋外に設置した循環タンク１下端の流入口に流通する給水管を接続し、タンク内に配置した浄水装置４を通過し生成したろ過水は、タンク内より下端流出口に連結した場所には流出防止弁１３を備え流出防止弁１３に流通する２次側給水管１４を接続し給水装置へ至る。
また巨大地震による上水の断水及びタンク以降の給水管が破損すると、タンク内所定水圧が低下し流出防止弁１３が閉じる方向に付勢されているため、流出することなく貯留水は満水状態で確保が出来る災害対策に関するものである。
【００１５】  従来の施設は不衛生な点、又施設にて水道水の分配時混乱する。
備蓄した飲料水を平時使用すると補充する事が面倒である。
本実施形態は従来の不衛生、混乱回避、備蓄の補充等の問題を解決しようとするももであり地震等で断水した時でもタンクからの流出がなく満水な貯留水の確保が出来るため、タンク容量により一定期間しのぐ事が可能となる。
【００１６】  また、循環タンクに連結した流出防止弁を備えてあるため、タンク内は満水状態で貯留水が確保されるため飲料水の備蓄は不用である。
また、浄水装置には汚染防止弁を備えてあるため貯留水の使用も安心である。また、電力による緊急遮断弁との差額は大であり非常に安価である。
また、浄化システム１００は、各戸、並に各施設にも設置する事が出来る又、モニュメント・ランドマークの利用も可能。
【符号の説明】
【００１７】  １  循環タンク
２  バルブ付逆流防止弁
３  １次側給水管
４  浄水装置
５  受台
６  パッキン
７  汚染防止弁
８  流出口
９  バネ
１０  弁
１１  流出孔
１２  メインバルブ
１３  流出防止弁
１４  ２次側給水管
１５  災害用兼ドレンバルブ
１６  点検口
１７  自動吸排気弁
１８  破損防止金具
１９  ヘッダー
２０  水中活性炭
１００  浄化システム
【図１】
2019171358.tif 000003
【図２】
2019171358.tif 000004
【図３】
2019171358.tif 000005